(57)【要約】      （修正有）【課題】第１スルー画像および第２スルー画像のそれぞれが動画撮影及び静止画撮影のいずれに対応しているのかを容易に判別可能な複眼撮像装置を提供する。【解決手段】被写体像を撮像して画像データを出力する第１撮像素子と、第２撮像素子と、動画レリーズ釦と、第２撮像素子における被写体のＡＦ制御指示と、静止画レリーズ釦と、動画レリーズ釦が動画の撮影指示を受け付けたことに応じて、第１画像データに基づいて動画撮影を開始する画像処理部と、第１画像データに対応する第１スルー画像と、第２画像データに対応する第２スルー画像とを並べて表示可能なモニタと、動画撮影中において静止画レリーズ釦がＡＦ制御指示を受け付けたことに応じて、第２スルー画像に対応する静止画が撮影されることを示す静止画対象表示を、第１スルー画像及び第２スルー画像とともにモニタに表示させる画像表示部と、を備える。【選択図】図８
2013046292.tif 000002
【特許請求の範囲】
【請求項１】
被写体像を撮像して第１画像データを出力する第１撮像素子と、
被写体像を撮像して第２画像データを出力する第２撮像素子と、
前記第１画像データに対応する動画の撮影指示を受け付ける動画レリーズ釦と、
前記第２撮像素子における被写体のＡＦ制御指示と、前記第２画像データに対応する静止画の撮影指示とを受け付ける静止画レリーズ釦と、
前記動画レリーズ釦が前記動画の撮影指示を受け付けたことに応じて、前記第１画像データに基づいて動画撮影を開始する画像処理部と、
前記第１画像データに対応する第１スルー画像と、前記第２画像データに対応する第２スルー画像とを並べて表示可能なモニタと、
前記画像処理部が動画撮影中において前記静止画レリーズ釦が前記ＡＦ制御指示を受け付けたことに応じて、前記第２スルー画像に対応する静止画が撮影されることを示す静止画対象表示を、前記第１スルー画像及び前記第２スルー画像とともに前記モニタに表示させる画像表示部と、
を備える複眼撮像装置。
【請求項２】
前記静止画レリーズ釦が半押しされた場合に、前記第２撮像素子における被写体のＡＦ制御を実行するＡＦ制御部を備え、
前記静止画対象表示は、前記第２スルー画像に重ねて表示され、前記ＡＦ制御部によるＡＦ制御が完了したことを示す、
請求項１に記載の複眼撮像装置。
【請求項３】
前記第１画像データに対応する動画と前記第２画像データに対応する静止画とを記憶する記憶部を備える請求項１又は２に記載の複眼撮像装置。
【請求項４】
前記画像表示部は、前記画像処理部が動画撮影中において前記第１スルー画像に対応する動画が撮影されることを示す動画対象表示を前記第１スルー画像に重ねて表示させる、
請求項１乃至３のいずれかに記載の複眼撮像装置。
【請求項５】
前記第１撮像素子と前記第２撮像素子とは、水平方向において離間している、
請求項１乃至４のいずれかに記載の複眼撮像装置。
【請求項６】
被写体像を撮像して第１画像データを出力する第１撮像素子と、
被写体像を撮像して第２画像データを出力する第２撮像素子と、
前記第１画像データに対応する動画の撮影指示を受け付ける動画レリーズ釦と、
前記動画レリーズ釦が前記動画の撮影指示を受け付けたことに応じて、前記第１画像データに基づいて動画撮影を開始する画像処理部と、
前記第１画像データに対応する第１スルー画像と、前記第２画像データに対応する第２スルー画像とを並べて表示可能なモニタと、
前記画像処理部が動画撮影を開始したことに応じて、前記第１スルー画像に対応する動画が撮影されることを示す動画対象表示を、前記第１スルー画像及び前記第２スルー画像とともに前記モニタに表示させる画像表示部と、
を備える複眼撮像装置。
【発明の詳細な説明】
【技術分野】
【０００１】
本発明は、２以上の光学系を備える複眼撮像装置に関する。
【背景技術】
【０００２】
特許文献１には、互いに大きさの異なる第１撮像素子と第２撮像素子とを備えるデジタルカメラにおいて、第１撮像素子で撮像された第１スルー画像と第２撮像素子で撮像された第２スルー画像をモニタに並べて表示する手法が開示されている。
【先行技術文献】
【特許文献】
【０００３】
【特許文献１】特開２０１１−４５０３９号公報
【発明の概要】
【発明が解決しようとする課題】
【０００４】
ここで、第１スルー画像に対応する動画を撮影しながら第２スルー画像に対応する静止画を撮影することが考えられる。しかしながら、この場合には、第１スルー画像と第２スルー画像とが並んで表示されているので、各スルー画像が動画撮影と静止画撮影のいずれに対応しているのかをユーザが判別しにくいという問題がある。
本発明は上記問題に鑑みてなされたものであり、第１スルー画像および第２スルー画像のそれぞれが動画撮影及び静止画撮影のいずれに対応しているのかを容易に判別可能な複眼撮像装置を提供することを目的とする。
【課題を解決するための手段】
【０００５】
本発明に係る複眼撮像装置は、被写体像を撮像して第１画像データを出力する第１撮像素子と、被写体像を撮像して第２画像データを出力する第２撮像素子と、前記第１画像データに対応する動画の撮影指示を受け付ける動画レリーズ釦と、前記第２撮像素子における被写体のＡＦ制御指示と、前記第２画像データに対応する静止画の撮影指示とを受け付ける静止画レリーズ釦と、前記動画レリーズ釦が前記動画の撮影指示を受け付けたことに応じて、前記第１画像データに基づいて動画撮影を開始する画像処理部と、前記第１画像データに対応する第１スルー画像と、前記第２画像データに対応する第２スルー画像とを並べて表示可能なモニタと、前記画像処理部が動画撮影中において前記静止画レリーズ釦が前記ＡＦ制御指示を受け付けたことに応じて、前記第２スルー画像に対応する静止画が撮影されることを示す静止画対象表示を、前記第１スルー画像及び前記第２スルー画像とともに前記モニタに表示させる画像表示部と、を備える。
【発明の効果】
【０００６】
本発明によれば、第１スルー画像および第２スルー画像のそれぞれが動画撮影及び静止画撮影のいずれに対応しているのかを容易に判別可能な複眼撮像装置を提供することができる。
【図面の簡単な説明】
【０００７】
【図１】デジタルカメラの電気的構成を示すブロック図
【図２】コントローラの電気的構成を示すブロック図
【図３】デジタルカメラにおける撮影動作の概要を説明するためのフローチャート
【図４】デジタルカメラにおける動画撮影動作を説明するためのフローチャート
【図５】デジタルカメラにおける静止画撮影動作を説明するためのフローチャート
【図６】液晶モニタにおける表示例を示す模式図
【図７】液晶モニタにおける表示例を示す模式図
【図８】液晶モニタにおける表示例を示す模式図
【図９】液晶モニタにおける表示例を示す模式図
【発明を実施するための形態】
【０００８】
以下、本発明をデジタルカメラに適用した場合について、図面を参照しながら説明する。
＜１−１．デジタルカメラの構成＞
まずは、デジタルカメラの構成に関して説明する。
図１は、本実施の形態におけるデジタルカメラ１の電気的構成を示すブロック図である。
本実施の形態にかかるデジタルカメラ１の電気的構成について、図１を用いて説明する。デジタルカメラ１は、光学系１１０（ａ）及び１１０（ｂ）、ズームモータ１２０（ａ）及び１２０（ｂ）、ＯＩＳアクチュエータ１３０（ａ）及び１３０（ｂ）、フォーカスモータ１４０（ａ）及び１４０（ｂ）、ＣＣＤイメージセンサ１５０（ａ）及び１５０（ｂ）、画像処理部１６０、メモリ２００、コントローラ２１０、ジャイロセンサ２２０、カードスロット２３０、メモリカード２４０、操作部材２５０、ズームレバー２６０、液晶モニタ２７０（「モニタ」の一例）、内部メモリ２８０、モード設定スイッチ２９０を備える。
【０００９】
光学系１１０（ａ）は、ズームレンズ１１１（ａ）、ＯＩＳ１１２（ａ）、フォーカスレンズ１１３（ａ）を含む。また、光学系１１０（ｂ）は、ズームレンズ１１１（ｂ）、ＯＩＳ１１２（ｂ）、フォーカスレンズ１１３（ｂ）を含む。なお、光学系１１０（ａ）は、第１視点における被写体像を形成する。また、光学系１１０（ｂ）は、第１視点とは異なる第２視点における被写体像を形成する。本実施形態において、第１視点はユーザの左眼の視点に対応し、第２視点はユーザの右眼の視点に対応している。
ズームレンズ１１１（ａ）及び１１１（ｂ）は、光学系１１０（ａ）及び１１０（ｂ）それぞれの光軸に沿って移動することにより、それぞれＣＣＤイメージセンサ１５０（ａ）および１５０（ｂ）の各々に結像する被写体像を拡大又は縮小可能である。ズームレンズ１１１（ａ）及び１１１（ｂ）は、それぞれズームモータ１２０（ａ）および１２０（ｂ）によって駆動制御される。
【００１０】
ＯＩＳ１１２（ａ）及び１１２（ｂ）は、それぞれ内部に光軸に垂直な面内で移動可能な補正レンズを有する。ＯＩＳ１１２（ａ）及び１１２（ｂ）は、それぞれデジタルカメラ１のブレを相殺する方向に補正レンズを駆動することにより、被写体像のブレを低減する。ＯＩＳ１１２（ａ）及び１１２（ｂ）は、それぞれＯＩＳアクチュエータ１３０（ａ）および１３０（ｂ）によって駆動制御される。
フォーカスレンズ１１３（ａ）及び１１３（ｂ）は、光学系１１０（ａ）及び１１０（ｂ）それぞれの光軸に沿って移動することにより、それぞれＣＣＤイメージセンサ１５０（ａ）および１５０（ｂ）に結像する被写体像のピントを調整可能である。フォーカスレンズ１１３（ａ）及び１１３（ｂ）は、それぞれフォーカスモータ１４０（ａ）および１４０（ｂ）によって制御される。
【００１１】
なお、以下の説明では、光学系１１０（ａ）及び１１０（ｂ）を総称して単に光学系１１０と記載することがある。ズームレンズ１１１、ＯＩＳ１１２、フォーカスレンズ１１３、ズームモータ１２０、ＯＩＳアクチュエータ１３０、フォーカスモータ１４０、ＣＣＤイメージセンサ１５０についても同様である。
ズームモータ１２０（ａ）および１２０（ｂ）は、それぞれズームレンズ１１１（ａ）及び１１１（ｂ）を駆動制御する。ズームモータ１２０（ａ）および１２０（ｂ）は、パルスモータやＤＣモータ、リニアモータ、サーボモータなどで実現してもよい。ズームモータ１２０（ａ）および１２０（ｂ）は、カム機構やボールネジなどの機構を介してズームレンズ１１１（ａ）及び１１１（ｂ）それぞれを駆動するようにしてもよい。また、ズームレンズ１１１（ａ）とズームレンズ１１１（ｂ）を同じ動作で制御する構成にしても良い。
【００１２】
ＯＩＳアクチュエータ１３０（ａ）および１３０（ｂ）は、それぞれＯＩＳ１１２（ａ）及び１１２（ｂ）内の補正レンズを光軸と垂直な面内で駆動制御する。ＯＩＳアクチュエータ１３０（ａ）および１３０（ｂ）は、平面コイルや超音波モータなどで実現できる。
フォーカスモータ１４０（ａ）および１４０（ｂ）は、それぞれフォーカスレンズ１１３（ａ）及び１１３（ｂ）を駆動制御する。フォーカスモータ１４０（ａ）および１４０（ｂ）は、パルスモータやＤＣモータ、リニアモータ、サーボモータなどで実現してもよい。フォーカスモータ１４０（ａ）および１４０（ｂ）は、カム機構やボールネジなどの機構を介してフォーカスレンズ１１３（ａ）及び１１３（ｂ）それぞれを駆動するようにしてもよい。
【００１３】
ＣＣＤイメージセンサ１５０（ａ）及び１５０（ｂ）は、それぞれ光学系１１０（ａ）及び１１０（ｂ）それぞれによって結像された被写体像を撮影して、第１画像データ及び第２画像データを生成する。ＣＣＤイメージセンサ１５０（ａ）と１５０（ｂ）とは、左右方向において所定の間隔（例えば、３ｃｍ程度）だけ離間している。本実施形態において、第１画像データは左眼用画像を示す信号であり、第２画像データは右眼用画像を示す信号である。
ＣＣＤイメージセンサ１５０（ａ）及び１５０（ｂ）は、露光、転送、電子シャッタなどの各種動作を行う。ＣＣＤイメージセンサ１５０（ａ）は、「第１撮像素子」の一例であり、ＣＣＤイメージセンサ１５０（ｂ）は、「第２撮像素子」の一例である。
画像処理部１６０は、ＣＣＤイメージセンサ１５０（ａ）及び１５０（ｂ）で生成された第１画像データ及び第２画像データに対して各種の処理（例えば、ガンマ補正、ホワイトバランス補正、傷補正など）を施す。これによって、画像処理部１６０は、液晶モニタ２７０に表示するための画像データを生成したり、メモリカード２４０に格納するための画像データを生成したりする。例えば、画像処理部１６０は、後述する動画レリーズ釦が動画の撮影指示を受け付けたことに応じて、第１画像データに基づいて動画用画像データの生成を開始し、再び動画レリーズ釦が押下されたことに応じて、動画用画像データの生成を終了する。本実施形態において、「動画撮影中」とは、画像処理部１６０による動画用画像データの生成開始から生成終了までを意味する。また、画像処理部１６０は、後述する静止画レリーズ釦が静止画の撮影指示を受け付けたことに応じて、第１及び第２画像データから静止画用画像データの生成を開始する。
【００１４】
また、画像処理部１６０は、コントローラ２１０からの制御信号に基づいて、第１画像データ及び第２画像データに対して、例えば、エッジ強調処理等のエンハンス処理を行う。
また、画像処理部１６０は、３Ｄ画像の処理において、第１画像データ及び第２画像データに対して切り出し処理を行う。具体的には、３Ｄ画像を構成する第１画像データ及び第２画像データの間に垂直方向のずれが存在することで観察者に違和感を与えないように、画像処理部１６０は、第１画像データ及び第２画像データそれぞれの垂直方向における切り出し位置を補正する。また、３Ｄ画像を再生した際の立体感を制御するために、画像処理部１６０は、第１画像データ及び第２画像データそれぞれの水平方向の切り出し位置を変化させることにより、両視点間の視差を調整可能である。なお、ここでの立体感とは、３Ｄ画像を視聴した際の被写体像の飛び出し（奥行き）度合いを指す。また、画像処理部１６０が切り出した画像データを、切り出し前の信号と区別して切り出し画像データと呼ぶことがある。
【００１５】
さらに、画像処理部１６０は、上記処理された第１画像データ及び第２画像データに対して、それぞれＪＰＥＧ規格に準拠した圧縮形式等により圧縮処理を施す。第１画像データ及び第２画像データを圧縮して得られる２つの圧縮画像データは互いに関連付けられて、メモリカード２４０に記録される。なお、２つの圧縮画像データが記録される際、ＭＰＯファイルフォーマットを用いて記録されるのが望ましい。また、圧縮する画像データが動画の場合、Ｈ．２６４／ＭＰＥＧ４  ＡＶＣ等の動画圧縮規格が適用されることになる。また、ＭＰＯファイルフォーマットと、ＪＰＥＧ画像若しくはＭＰＥＧ動画と、を同時に記録する構成にしても構わない。
画像処理部１６０は、ＤＳＰやマイコンなどで実現可能である。なお、レビュー画像の解像度（画素数）は、液晶モニタ２７０の画面解像度に設定しても構わないし、ＪＰＥＧ規格に準拠した圧縮形式等により圧縮され形成される画像データの解像度に設定しても構わない。
【００１６】
メモリ２００は、画像処理部１６０及びコントローラ２１０のワークメモリとして機能する。メモリ２００は、例えば、画像処理部１６０で処理された画像データ若しくは、画像処理部１６０で処理される前のＣＣＤイメージセンサ１５０から入力される画像データを一時的に蓄積する。また、メモリ２００は、撮影時における光学系１１０（ａ）及び１１０（ｂ）、ＣＣＤイメージセンサ１５０（ａ）及び１５０（ｂ）の撮影条件を一時的に蓄積する。撮影条件とは、被写体距離、画角情報、ＩＳＯ感度、シャッタースピード、ＥＶ値、Ｆ値、レンズ間距離、撮影時刻、ＯＩＳシフト量等を示す。メモリ２００は、例えば、ＤＲＡＭ、強誘電体メモリなどで実現できる。
内部メモリ２８０は、フラッシュメモリや強誘電体メモリなどで構成される。内部メモリ２８０は、デジタルカメラ１全体を制御するための制御プログラム等を記憶している。
【００１７】
コントローラ２１０は、全体を制御する制御手段である。コントローラ２１０は、ハードウェアのみで構成してもよいし、ハードウェアとソフトウェアとを組み合わせることにより実現してもよい。コントローラ２１０は、マイコンなどで実現できる。コントローラ２１０の構成及び機能については後述する。
ジャイロセンサ２２０は、圧電素子等の振動材等で構成される。ジャイロセンサ２２０は、圧電素子等の振動材を一定周波数で振動させた場合に働くコリオリ力を電圧に変換することによって角速度情報を得る。ジャイロセンサ２２０から得られる角速度情報によって示される揺れを相殺する方向にＯＩＳ１１２内の補正レンズを駆動させることにより、使用者によりデジタルカメラ１に与えられる手振れは補正される。なお、ジャイロセンサ２２０は、少なくともピッチ角の角速度情報を計測可能なデバイスであればよい。また、ジャイロセンサ２２０がヨー角の角速度情報を計測可能な場合、デジタルカメラ１の略水平方向に移動した際の回転について考慮することが可能となる。
【００１８】
カードスロット２３０は、メモリカード２４０を着脱可能である。カードスロット２３０は、機械的及び電気的にメモリカード２４０と接続可能である。
メモリカード２４０は、フラッシュメモリや強誘電体メモリなどを内部に含み、データを格納可能である。
操作部材２５０は、使用者からの操作を受け付けるユーザーインターフェースの総称である。例えば、使用者からの操作を受け付ける十字釦、決定釦や動画レリーズ釦、静止画レリーズ釦を備える。動画レリーズ釦は、第１画像データに対応する動画の撮影指示を受け付ける。静止画レリーズ釦は、ＣＣＤイメージセンサ１５０（ｂ）における被写体のＡＦ制御（以下、ＡＦ制御という。）指示と、第２画像データに対応する静止画の撮影指示とをユーザから受け付ける。具体的には、静止画レリーズ釦を半押しした場合、コントローラ２１０を介したＡＦ制御及びＡＥ制御が実行される。また、レリーズ釦を全押しした場合、被写体の撮影が実行される。
【００１９】
ズームレバー２６０は、使用者からズーム倍率の変更指示を受け付ける部材である。
液晶モニタ２７０は、ＣＣＤイメージセンサ１５０で生成された第１画像データに対応する第１スルー画像ＴＨ１や第２画像データに対応する第２スルー画像ＴＨ２（図６〜図９参照）、或いは、メモリカード２４０から読み出した第１画像データ及び第２画像データを２Ｄ表示若しくは３Ｄ表示可能な表示デバイスである。また、液晶モニタ２７０は、デジタルカメラ１の各種の設定情報を表示可能である。例えば、液晶モニタ２７０は、撮影時における撮影条件である、ＥＶ値、Ｆ値、シャッタースピード、ＩＳＯ感度等を表示可能である。なお、スルー画像とは、画像を順次表示することによって液晶モニタ２７０に映し出される動画である。このようなスルー画像は、使用者が被写体の構図を決めるために用いられるものであり、通常、スルー画像自体はメモリカード２４０に格納されない。
【００２０】
本実施形態に係る液晶モニタ２７０には、２Ｄ表示の場合、第１スルー画像ＴＨ１と第２スルー画像ＴＨ２とが左右に並んで表示されるが、これに限られるものではない。液晶モニタ２７０には、第１スルー画像ＴＨ１及び第２スルー画像ＴＨ２のうちコントローラ２１０によって選択されたスルー画像だけが表示されても構わないし、第１スルー画像ＴＨ１と第２スルー画像ＴＨ２とが上下に並んで表示されても構わない。また、第１スルー画像ＴＨ１と第２スルー画像ＴＨ２とをライン毎に交互に表示しても構わない。また、液晶モニタ２７０には、３Ｄ表示の場合、第１スルー画像ＴＨ１と第２スルー画像ＴＨ２とがフレームシーケンシャルに表示されたり、第１スルー画像ＴＨ１と第２スルー画像ＴＨ２とがオーバーレイして表示されてもよい。
モード設定スイッチ２９０は、デジタルカメラ１で２Ｄ撮影する際の２Ｄ撮影モードと、デジタルカメラ１で３Ｄ撮影する際の３Ｄ撮影モードと、撮影した画像を再生する再生モードとを切り替えるためのスイッチである。２Ｄ撮影モードでは、画角の異なる第１スルー画像ＴＨ１と第２スルー画像ＴＨ２を同時に撮影することができる。具体的に、２Ｄ撮影モードでは、第１スルー画像ＴＨ１の動画撮影中における第２スルー画像ＴＨ２の静止画撮影と、第１スルー画像ＴＨ１および第２スルー画像ＴＨ２の同時静止画撮影とを行うことができる。３Ｄ撮影モードでは、第１スルー画像ＴＨ１と第２スルー画像ＴＨ２を同時に動画撮影又は静止画撮影できる。デジタルカメラ１では、２Ｄ撮影モード及び３Ｄ撮影モードに切り換えられるたびに各モードに応じた適切な撮影パラメータが設定される。なお、以下の説明では、２Ｄ撮影モードと３Ｄ撮影モードとを「撮影モード」と総称する場合がある。
＜１−２．コントローラの構成＞
図２は、コントローラの電気的構成を示すブロック図である。コントローラ２１０は、釦押下判定部２１１、ＡＦ制御部２１２、画像表示部２１３、画像記録部２１４より構成されている。
【００２１】
釦押下判定部２１１は、操作部材２５０が備える各種ボタンのうちいずれの釦が押下されているかを判定し、判定結果を画像処理部１６０に通知する。画像処理部１６０は、釦押下判定部２１１からの通知に応じて第１画像データ及び第２画像データに対する圧縮処理などを実行する。
また、釦押下判定部２１１は、動画レリーズ釦が動画の撮影指示を受け付けたか否かを判定する。釦押下判定部２１１は、動画の撮影指示を受け付けたと判定した場合、その旨をＡＦ制御部２１２に通知する。
また、釦押下判定部２１１は、動画レリーズ釦が動画の撮影指示を受け付けている間に静止画レリーズ釦が半押しされたか否か、すなわち、動画撮影中に静止画のＡＦ制御指示を受け付けたか否かを判定する。釦押下判定部２１１は、動画撮影中に静止画のＡＦ制御指示を受け付けたと判定した場合、その旨をＡＦ制御部２１２に通知する。
【００２２】
また、釦押下判定部２１１は、動画レリーズ釦が動画の撮影指示を受け付けていない間に静止画レリーズ釦が半押しされたか否かを判定する。釦押下判定部２１１は、動画撮影中でないときに静止画のＡＦ制御指示を受け付けたと判定した場合、その旨をＡＦ制御部２１２に通知する。
ＡＦ制御部２１２は、動画の撮影指示を受け付けた旨の通知を釦押下判定部２１１から受けた場合、フォーカスモータ１４０（ａ）を制御することによってＣＣＤイメージセンサ１５０（ａ）に結像する被写体像のピント調整を継続して実行する。この場合、ＡＦ制御部２１２は、ＣＣＤイメージセンサ１５０（ａ）のＡＦ制御を継続中であることを画像表示部２１３に通知する。
また、ＡＦ制御部２１２は、動画撮影中に静止画のＡＦ制御指示を受け付けた旨の通知を釦押下判定部２１１から受けた場合、上述のＣＣＤイメージセンサ１５０（ａ）のピント調整を継続しながら、フォーカスモータ１４０（ｂ）を制御することによってＣＣＤイメージセンサ１５０（ｂ）に結像する被写体像のピント調整を実行する。この場合、ＡＦ制御部２１２は、ＣＣＤイメージセンサ１５０（ａ）のＡＦ制御を継続中であり、かつ、ＣＣＤイメージセンサ１５０（ｂ）のＡＦ制御が完了したことを画像表示部２１３に通知する。
【００２３】
また、ＡＦ制御部２１２は、動画撮影中でないときに静止画のＡＦ制御指示を受け付けた旨の通知を釦押下判定部２１１から受けた場合、フォーカスモータ１４０（ａ）の制御によるＣＣＤイメージセンサ１５０（ａ）のピント調整と、フォーカスモータ１４０（ｂ）の制御によるＣＣＤイメージセンサ１５０（ｂ）のピント調整とを同時に実行する。この場合、ＡＦ制御部２１２は、ＣＣＤイメージセンサ１５０（ａ）及びＣＣＤイメージセンサ１５０（ｂ）のＡＦ制御が完了したことを画像表示部２１３に通知する。
なお、ＡＦ制御部２１２は、以下に説明する周知の手順にしたがってＡＦ制御を実行する。まず、ＡＦ制御部２１２は、フォーカスモータ１４０を制御することによってフォーカスレンズ１１３の位置を変化させた後、画像処理部１６０によるコントラストＡＦのための画像処理結果を取得する。ＡＦ制御部２１２は、画像処理結果が適切になるまで、すなわちＡＦ制御が完了するまで、繰り返しフォーカスモータ１４０を制御する。
【００２４】
画像表示部２１３は、モード設定スイッチ２９０が２Ｄ撮影モードに切り換えられた場合、メモリ２００から出力される第１画像データ及び第２画像データを液晶モニタ２７０に順次送信することによって、第１スルー画像ＴＨ１及び第２スルー画像ＴＨ２を液晶モニタ２７０に並べて表示させる。
また、画像表示部２１３は、ＣＣＤイメージセンサ１５０（ａ）のＡＦ制御を継続中である旨の通知をＡＦ制御部２１２から受けた場合、動画対象表示１００（ａ）を液晶モニタ２７０に表示させる（図７参照）。動画対象表示１００（ａ）は、第１スルー画像ＴＨ１に対応する動画が撮影されること、及び、ＣＣＤイメージセンサ１５０（ａ）のＡＦ制御が継続されていることを示す。
また、画像表示部２１３は、ＣＣＤイメージセンサ１５０（ａ）のＡＦ制御を継続中であり、かつ、ＣＣＤイメージセンサ１５０（ｂ）のＡＦ制御が完了した旨の通知をＡＦ制御部２１２から受けた場合、動画対象表示１００（ａ）と静止画対象表示１００（ｂ）を液晶モニタ２７０に表示させる（図８参照）。静止画対象表示１００（ｂ）は、第２スルー画像ＴＨ２に対応する静止画が撮影されること、及び、ＣＣＤイメージセンサ１５０（ｂ）のＡＦ制御が完了したことを示す。
【００２５】
また、画像表示部２１３は、ＣＣＤイメージセンサ１５０（ａ）及びＣＣＤイメージセンサ１５０（ｂ）のＡＦ制御が完了した旨の通知をＡＦ制御部２１２から受けた場合、静止画対象表示１００（ｂ）と静止画対象表示１００（ｃ）を液晶モニタ２７０に表示させる（図９参照）。静止画対象表示１００（ｃ）は、第１スルー画像ＴＨ１に対応する静止画が撮影されることを示し、かつ、ＣＣＤイメージセンサ１５０（ａ）のＡＦ制御が完了したことを示す。画像表示部２１３は、
なお、後述するように、画像表示部２１３は、動画対象表示１００（ａ）又は静止画対象表示１００（ｃ）を第１スルー画像ＴＨ１に重ねて表示させ、静止画対象表示１００（ｂ）を第２スルー画像ＴＨ２に重ねて表示させる。
画像記録部２１４は、メモリ２００の画像データを読み出し、第１画像データに対応する動画や第２画像データに対応する静止画をメモリカード２４０に記録する。
＜１−３．画像データ撮影動作＞
以下、デジタルカメラ１における画像データの撮影動作について説明を行う。
【００２６】
図３は、デジタルカメラ１における撮影動作の概要を説明するためのフローチャートである。図４は、デジタルカメラ１における動画撮影動作を説明するためのフローチャートである。図５は、デジタルカメラ１における静止画撮影動作を説明するためのフローチャートである。また、図６〜９は、２Ｄ撮影モード時の液晶モニタ２７０における表示例を示す模式図である。
撮影モードが選択されたことに応じて、コントローラ２１０は、まず、撮影モード用の初期化処理を実行する（Ｓ２０１）。
コントローラ２１０は、モード設定スイッチ２９０が撮影モードを示しているかどうかを判定する（Ｓ２０２）。モード設定スイッチ２９０が撮影モードを示している場合、ステップＳ２０３に進む。モード設定スイッチ２９０が撮影モードを示していない場合、撮影モードを終了する。
【００２７】
コントローラ２１０は、撮影モードが２Ｄ撮影モードか、３Ｄ撮影モードかを判定する（Ｓ２０３）。２Ｄ撮影モードである場合、ステップＳ２０４に進む。一方、３Ｄ撮影モードである場合、ステップＳ２０９に進む。
コントローラ２１０は、２Ｄ撮影モードの場合、第１画像データに対応する第１スルー画像ＴＨ１と第２画像データに対応する第２スルー画像ＴＨ２を表示する（Ｓ２０４）。図６は、２Ｄ撮影モードに切り換えられた時点における第１スルー画像ＴＨ１と第２スルー画像ＴＨ２の表示例を示す。第１スルー画像ＴＨ１と第２スルー画像ＴＨ２とは互いに画角が異なっている。
コントローラ２１０は、操作部材２５０の動画レリーズ釦の押下が検知されたか否かを判定する（Ｓ２０５）。動画レリーズ釦の押下が検知されると動画撮影開始・終了処理（Ｓ２０６）が行われた後、処理はステップＳ２０２に戻る。動画撮影開始・終了処理の詳細については、図４のフローチャートを用いて説明する。動画レリーズ釦の押下が検知されなければステップＳ２０７に進む。
【００２８】
コントローラ２１０は、操作部材２５０のうち静止画レリーズ釦が半押しされたか否かを判定する（Ｓ２０７）。コントローラ２１０は、静止画レリーズ釦の半押しが検知されると、静止画撮影処理（Ｓ２０８）が行われた後、処理はステップＳ２０２に戻る。静止画撮影処理の詳細については、図５のフローチャートを用いて説明する。静止画レリーズ釦の半押しが検知されなければステップＳ２０２に戻る。
コントローラ２１０は、ステップＳ２０３において３Ｄ撮影モードと判定された場合、第１スルー画像ＴＨ１を表示する（Ｓ２０９）。
コントローラ２１０は、操作部材２５０の静止画レリーズ釦が全押しされたか否かを判定する（Ｓ２１０）。静止画レリーズ釦が全押しされると、処理はステップＳ２１１に進む。静止画レリーズ釦が全押しされなければ、処理はステップＳ２１０を繰り返す。  静止画レリーズ釦が全押しされると、ＣＣＤイメージセンサ１５０（ａ）及び１５０（ｂ）は、３Ｄ撮影モードから設定される撮影条件を基に撮影動作を行い、一対の第１画像データ及び第２画像データを生成する（Ｓ２１１）。
【００２９】
一対の画像データが生成されると、画像処理部１６０は、一対の画像データに対して３Ｄ撮影モードに則した各種画像処理を行う（Ｓ２１２）。また、画像処理部１６０は、一対の画像データに基づいて一対の圧縮画像データを生成し、一時的にメモリ２００に蓄積する。
一対の圧縮画像データがメモリ２００に蓄積されると、コントローラ２１０は、一対の圧縮画像データをメモリカード２４０に記録する（Ｓ２１３）。なお、コントローラ２１０は、一対の圧縮画像データをメモリカード２４０に記録する際、例えばＭＰＯファイルフォーマットを用いて一対の圧縮画像データを互いに関連付けて記録する。
図４は、動画撮影開始・終了処理（Ｓ２０６）の詳細を示すフローチャートである。
使用者による操作部材２５０の動画レリーズ釦の押下を検知すると、コントローラ２１０は、デジタルカメラ１が動画記録中であるかどうかを判定する（Ｓ４０１）。
【００３０】
デジタルカメラ１が動画記録中でないと判定された場合、コントローラ２１０は、画像処理部１６０に対して動画記録開始指示を行う（Ｓ４０２）。本実施形態では、第１画像データに基づいて動画記録が行われる。コントローラ２１０は、図７に示すように、動画撮影中、動画撮影対象を示す第１スルー画像ＴＨ１の左上部分に動画対象表示１００（ａ）を重ねて表示する。動画対象表示１００（ａ）は、第１スルー画像ＴＨ１に対応する動画が撮影されること、及び、ＣＣＤイメージセンサ１５０（ａ）のＡＦ制御が継続されていることを示す記号であり、例えば“赤丸”などを用いることができる。また、コントローラ２１０は、動画対象表示１００（ａ）の表示に応じて、第１画像データに基づいて画像処理部１６０により生成される動画用画像データをメモリカード２４０に順次記録する。
【００３１】
ステップＳ４０１においてデジタルカメラ１が動画記録中であると判定された場合、コントローラ２１０は、画像処理部１６０に対して動画記録停止指示を行う（Ｓ４０３）。これに応じて、画像処理部１６０は、第１画像データに基づく動画用画像データの生成を停止する。
図５は、静止画撮影処理（Ｓ２０８）の詳細を示すフローチャートである。
使用者による操作部材２５０の静止画レリーズ釦の半押しを検知すると、コントローラ２１０は、デジタルカメラ１の記録動作の状態が動画記録中であるかどうかを判断する（Ｓ５０１）。
コントローラ２１０は、デジタルカメラ１が動画記録中であると判定された場合、ＣＣＤイメージセンサ１５０（ｂ）のＡＦ制御を行う（Ｓ５０２）。
【００３２】
コントローラ２１０は、ステップ５０２でのＡＦ制御の完了に応じて、液晶モニタ２７０に静止画対象表示１００（ｂ）を表示させる（Ｓ５０３）。具体的に、コントローラ２１０は、図８に示すように、動画撮影中における静止画撮影時には、動画撮影対象を示す第１スルー画像ＴＨ１の左上部分に動画対象表示１００（ａ）を表示するとともに、静止画撮影対象を示す第２スルー画像ＴＨ２の中央部分に静止画対象表示１００（ｂ）を表示させる。静止画対象表示１００（ｂ）は、第２スルー画像ＴＨ２に対応する静止画が撮影されること、及び、ＣＣＤイメージセンサ１５０（ｂ）のＡＦ制御が完了したことを示す記号であり、例えば“緑丸”などを用いることができる。
コントローラ２１０は、操作部材２５０の静止画レリーズ釦の押下状態を判定する（Ｓ５０４）。静止画レリーズ釦の半押しが解除されている場合、コントローラ２１０は、第２スルー画像ＴＨ２上における静止画対象表示１００（ｂ）の表示をクリアし、図７の状態に戻る。静止画レリーズ釦の半押し状態が維持されている場合、図８の状態を維持する。静止画レリーズ釦が全押しされた場合、処理はステップＳ５０５に進む。
【００３３】
コントローラ２１０は、静止画レリーズ釦が全押しされた場合、ＣＣＤイメージセンサ１５０（ｂ）による静止画撮影を行い、第２画像データを生成する（Ｓ５０５）。
第２画像データが生成されると、画像処理部１６０は、生成された第２画像データに対して２Ｄ撮影モードに則した各種画像処理を行う（Ｓ５０６）。また、画像処理部１６０は、第２画像データに基づいて圧縮画像データを生成し、一時的にメモリ２００に蓄積する。
圧縮画像データがメモリ２００に蓄積されると、コントローラ２１０は、ＪＰＥＧファイルフォーマットを用いて、圧縮画像データをメモリカード２４０に記録する（Ｓ５０７）。
ステップＳ５０１においてデジタルカメラ１が動画記録でないと判定された場合、コントローラ２１０は、ＣＣＤイメージセンサ１５０（ａ）及び１５０（ｂ）それぞれのＡＦ制御を行う（Ｓ５１２）。
【００３４】
コントローラ２１０は、ステップ５１２でのＡＦ制御の完了に応じて、液晶モニタ２７０に静止画対象表示１００（ｂ）及び１００（ｃ）を表示させる（Ｓ５１３）。具体的に、コントローラ２１０は、図９に示すように、ＣＣＤイメージセンサ１５０（ａ）及び１５０（ｂ）それぞれによる静止画撮影時には、静止画撮影対象を示す第１スルー画像ＴＨ１の中央部分に静止画対象表示１００（ｃ）を表示するとともに、静止画撮影対象を示す第２スルー画像ＴＨ２の中央部分に静止画対象表示１００（ｂ）を表示させる。静止画対象表示１００（ｃ）は、第１スルー画像ＴＨ１に対応する静止画が撮影されること、及び、ＣＣＤイメージセンサ１５０（ａ）のＡＦ制御が完了したことを示す記号であり、例えば“緑丸”などを用いることができる。
コントローラ２１０は、操作部材２５０の静止画レリーズ釦の押下状態を判定する（Ｓ５１４）。静止画レリーズ釦の半押しが解除されている場合、コントローラ２１０は、第１スルー画像ＴＨ１上における静止画対象表示１００（ｃ）の表示と第２スルー画像ＴＨ２上における静止画対象表示１００（ｂ）の表示をクリアし、図６の状態に戻る。静止画レリーズ釦の半押し状態が維持されている場合、図９の状態を維持する。静止画レリーズ釦が全押しされた場合、処理はステップＳ５１５に進む。
【００３５】
コントローラ２１０は、静止画レリーズ釦が全押しされた場合、ＣＣＤイメージセンサ１５０（ａ）及び１５０（ｂ）による静止画撮影を行い、第１画像データ及び第２画像データを生成する（Ｓ５１５）。
第１及び第２画像データが生成されると、画像処理部１６０は、生成された第１及び第２画像データに対して２Ｄ撮影モードに則した各種画像処理を行う（Ｓ５１６）。また、画像処理部１６０は、第１及び第２画像データそれぞれに基づいて圧縮画像データを生成し、一時的にメモリ２００に蓄積する。
圧縮画像データがメモリ２００に蓄積されると、コントローラ２１０は、ＪＰＥＧファイルフォーマットを用いて、圧縮画像データをメモリカード２４０に記録する（Ｓ５１７）。
＜１−４．まとめ＞
本実施の形態に係るデジタルカメラ１は、被写体を撮像して第１画像データを出力するＣＣＤイメージセンサ１５０（ａ）と、ＣＣＤイメージセンサ１５０（ａ）とは異なる視点から被写体を撮像して第２画像データを出力するＣＣＤイメージセンサ１５０（ｂ）と、第１画像データが動画記録されている場合に、静止画レリーズ釦の操作が行われた際に、第２スルー画像ＴＨ２に対応する静止画が撮影されること、及び、ＣＣＤイメージセンサ１５０（ｂ）のＡＦ制御が完了したことを示す静止画対象表示１００（ｂ）表示させるコントローラ２１０と、を備える。
【００３６】
この構成により、同一の被写体に対する２枚の２Ｄ画像を１度の撮影で得ることが出来る。また、第１画像データが動画記録中に静止画レリーズ釦の操作をした時、第２画像データが静止画として記録されるということをユーザに示す静止画対象表示１００（ｂ）が表示されるため、第１及び第２スルー画像ＴＨ１，ＴＨ２のいずれのスルー画像に対応する静止画が撮影されるかをユーザに知らせることができる。
また、本実施の形態のデジタルカメラ１は、被写体を撮像して第１画像データを出力するＣＣＤイメージセンサ１５０（ａ）と、ＣＣＤイメージセンサ１５０（ａ）とは異なる視点から被写体を撮像して第２画像データを出力するＣＣＤイメージセンサ１５０（ｂ）と、第１画像データおよび第２画像データを出力する画像処理部１６０と、画像処理部１６０が第１画像データおよび第２画像データを出力するように制御するコントローラ２１０と、を備える。
【００３７】
この構成により、同一の被写体に対して、立体感を持つ３Ｄ画像を得ることが出来る。
＜２．その他の実施形態＞
上記実施の形態では、２Ｄ撮影モード時において、第１画像データを動画記録することとしたが、第２画像データを動画記録することとしてもよい。この場合、第２画像データの動画記録中に静止画レリーズ釦が半押しされたときには、第１画像データに対してＡＦ制御を行った後に静止画対象表示１００（ｃ）を表示させればよい。
また、静止画対象表示１００（ｂ）及び１００（ｃ）は、ＡＦ制御が完了したことを示すこととしたが、静止画対象表示１００（ｂ）及び１００（ｃ）は、第１スルー画像ＴＨ１と第２スルー画像ＴＨ２のいずれが静止画として撮影される対象であるかを示すものであればよい。
【００３８】
また、第１画像データのフォーカスの設定値をマニュアルフォーカス（MF）、第２画像データのフォーカスの設定値をオートフォーカス（AF）とした際に、静止画レリーズ釦の半押しに応じて第２画像データにＡＦ制御を行った後に、静止画対象表示１００（ｂ）を表示するようにしてもよい。また、第１画像データのフォーカスの設定値がオートフォーカス（AF）、第２画像データのフォーカスの設定値がマニュアルフォーカス（MF）でもよい。
また、上記実施の形態では、第１画像データが動画記録中に静止画レリーズ釦が半押しされた時に第２画像データに対してＡＦ制御を行なったが、動画記録中の第１画像データにＡＦ制御を行い、ＡＦ結果を表示してもよい。
また、第１画像データおよび第２画像データの両方で動画が記録されてもよいし、動画記録中に両方の画像データに対してＡＦ制御を行い、第１及び第２スルー画像ＴＨ１，ＴＨ２それぞれにＡＦ結果を表示してもよい。
【００３９】
また、上記実施の形態で説明したデジタルカメラ１において、各ブロックは、ＬＳＩなどの半導体装置により個別に１チップ化されても良いし、一部又は全部を含むように１チップ化されても良い。
また、上記実施の形態の各処理をハードウェアにより実現してもよいし、ソフトウェアにより実現してもよい。さらに、ソフトウェアおよびハードウェアの混在処理により実現しても良い。なお、上記実施形態に係るデジタルカメラをハードウェアにより実現する場合、各処理を行うためのタイミング調整を行う必要があるのは言うまでもない。上記実施形態においては、説明便宜のため、実際のハードウェア設計で生じる各種信号のタイミング調整の詳細については省略している。
また、上記実施の形態における処理方法の実行順序は、必ずしも、上記実施形態の記載に制限されるものではなく、発明の要旨を逸脱しない範囲で、実行順序を入れ替えることができるものである。
【００４０】
なお、本発明の具体的な構成は、前述の実施の形態に限られるものではなく、発明の要旨を逸脱しない範囲で種々の変更および修正が可能である。
【産業上の利用可能性】
【００４１】
本発明の複眼撮像装置によれば、第１スルー画像および第２スルー画像のそれぞれが動画撮影及び静止画撮影のいずれに対応しているのかを容易に判別できるため複眼撮像が可能なデジタルカメラ、ビデオカメラ、携帯機器等に適用可能である。
【符号の説明】
【００４２】
１１０（ａ）、１１０（ｂ）    光学系
１２０（ａ）、１２０（ｂ）    ズームモータ
１３０（ａ）、１３０（ｂ）    ＯＩＳアクチュエータ
１４０（ａ）、１４０（ｂ）    フォーカスモータ
１５０（ａ）、１５０（ｂ）    ＣＣＤイメージセンサ
１６０    画像処理部
２００    メモリ
２１０    コントローラ
２１１    釦押下判定部
２１２    ＡＦ制御部
２１３    画像表示部
２１４    画像記録部
２２０    ジャイロセンサ
２３０    カードスロット
２４０    メモリカード
２５０    操作部材
２６０    ズームレバー
２７０    液晶モニタ
２８０    内部メモリ
２９０    モード設定スイッチ
ＴＨ１    第１スルー画像
ＴＨ２    第２スルー画像
１００（ａ）    動画対象表示
１００（ｂ）、１００（ｃ）    静止画対象表示
【図１】
2013046292.tif 000003
【図２】
2013046292.tif 000004
【図３】
2013046292.tif 000005
【図４】
2013046292.tif 000006
【図５】
2013046292.tif 000007
【図６】
2013046292.tif 000008
【図７】
2013046292.tif 000009
【図８】
2013046292.tif 000010
【図９】
2013046292.tif 000011